(57)【要約】【課題】  内蔵された記憶手段に記憶されたデジタル情報から所望のものを着脱可能に設けられた記憶メディアに容易に記憶させることのできる撮影装置を得る。【解決手段】  内蔵された不揮発性で大容量の第３メモリ４６に付帯情報に対応付けて記憶されている画像ファイルから、所定条件に合致する付帯情報に対応付けられたものを検出して記録メディア４２Ａに記憶する。【選択図】        図２
2005079667.tif 000002
【特許請求の範囲】
【請求項１】
撮影により被写体を示す画像情報をデジタル情報として取得する撮影装置であって、
前記撮影装置に内蔵されると共に前記画像情報及び録音によりデジタル情報として取得される音声情報の少なくとも一方のデジタル情報を当該デジタル情報に関する付帯情報に対応付けて記憶する記憶手段と、
前記撮影装置に着脱可能に構成された記憶メディアと、
前記記憶メディアが装着されているとき、前記記憶手段に記憶されている前記デジタル情報から所定条件に合致する付帯情報に対応付けられたデジタル情報を検出して前記記憶メディアに記憶するように制御する制御手段と、
を備えた撮影装置。
【請求項２】
前記所定条件を入力するための入力手段を更に備え、
前記制御手段は、前記入力手段により入力された前記所定条件に合致する付帯情報に対応付けられたデジタル情報を検出する
請求項１記載の撮影装置。
【請求項３】
前記所定条件を前記記憶メディアに予め記憶しておくと共に、
前記制御手段は、前記記憶メディアに記憶されている前記所定条件を読み出し、当該所定条件に合致する付帯情報に対応付けられたデジタル情報を検出する
請求項１記載の撮影装置。
【請求項４】
前記記憶手段に記憶するデジタル情報を前記画像情報とし、
前記付帯情報を、対応付けられる画像情報をプリント注文の対象とするか否かを示す情報とし、
前記所定条件を、プリント注文の対象とする画像情報であることとした
請求項１乃至請求項３の何れか１項記載の撮影装置。
【請求項５】
前記記憶手段に記憶するデジタル情報を前記画像情報とし、
前記付帯情報を、対応付けられる画像情報を取得する際の撮影条件を示す情報とし、
前記所定条件を、前記記憶メディアに記憶させたい画像情報に対応付けた前記撮影条件とした
請求項１乃至請求項３の何れか１項記載の撮影装置。
【請求項６】
前記付帯情報を、対応付けられるデジタル情報の優先順位を示す情報とし、
前記所定条件を、前記記憶メディアに記憶させたいデジタル情報に対応付けた前記優先順位とした
請求項１乃至請求項３の何れか１項記載の撮影装置。
【請求項７】
前記付帯情報を、対応付けられるデジタル情報の予め定められた識別コードを示す情報とし、
前記所定条件を、前記記憶メディアに記憶させたいデジタル情報に対応付けた前記識別コードとした
請求項１乃至請求項３の何れか１項記載の撮影装置。
【発明の詳細な説明】
【技術分野】
【０００１】
本発明は、撮影装置に係り、特に、記憶メディアが着脱可能に構成された撮影装置に関する。
【背景技術】
【０００２】
近年、ＣＣＤ（Charge Coupled Device）、ＣＭＯＳ（Complementary Metal Oxide Semiconductor）イメージ・センサ等の撮像素子の高解像度化に伴い、デジタルスチルカメラやデジタルビデオカメラ等のデジタルカメラの需要が急増している。
【０００３】
この種のデジタルカメラでは、撮影を行うとき、撮像素子によりデジタルデータとして得られた画像情報が、当該デジタルカメラに対して着脱可能に構成されたスマート・メディア（SmartMedia(R)）、ＳＤカード、コンパクト・フラッシュ（CompactFlash）、ＡＴＡ（AT Attachment）カード、マイクロドライブ等の記憶メディアに対して記憶されるようになっている。
【０００４】
そして、当該記憶メディアを、本発明の出願人が提唱するＦＤｉ等に代表されるデジタルカメラ・プリント・サービスの取扱店に持ち込むことにより、当該記憶メディアに記憶されている画像情報によって示される被写体像を写真プリントとして出力することもできる。
【０００５】
また、最近では、このようなデジタルカメラ・プリント・サービスを簡便に利用できるようにすることを目的として、デジタルカメラにより撮影によって得られた画像情報の中からプリントしたい画像コマや枚数等の指定情報を上記記憶メディアに記録するフォーマットであるＤＰＯＦ（Digital Print Order Format）と呼ばれる統一規格も広く利用されている。
【０００６】
そして、従来、ＤＰＯＦ規格をデジタルカメラで運用するうえで、ＤＰＯＦ規格本来の利便性を損なうことなく、プリント指定された画像ファイルの削除を適切に防止することを目的として、プリント指定された画像ファイルのファイル属性を読み出し専用に変更する技術があった（例えば、特許文献１参照。）。
【特許文献１】特開２０００−２９５５６２公報
【発明の開示】
【発明が解決しようとする課題】
【０００７】
ところで、フラッシュ・メモリ（Flash Memory）やＥＥＰＲＯＭ（Electrically Erasable and Programmable ROM）等に代表される不揮発性の半導体記憶素子の大容量化が進んでおり、８ＧＢ（ギガバイト）程度の記憶容量を有するものも開発されつつある。
【０００８】
以上の点から、今後、デジタルカメラに大容量の不揮発性の半導体記憶素子を内蔵しておき、撮影時には当該半導体記憶素子に画像情報を記憶し、前述したデジタルカメラ・プリント・サービスを利用する場合には、半導体記憶素子に記憶されている画像情報から所望のもののみを選択的に記憶メディアに記憶して、該記憶メディアを上記取扱店に持ち込む形態も考えられる。
【０００９】
この形態により、デジタルカメラ・プリント・サービスを利用する等のためにデジタルカメラから記憶メディアを取り外した状態でも、デジタルカメラには画像情報を保持しておくことができるため、これらの画像情報を表示させて参照したり、加工する等の他の用途に利用することができるようになり、利便性を大幅に向上させることができる。
【００１０】
しかしながら、この形態では、内蔵された半導体記憶素子に記憶されている画像情報から記憶メディアに記憶させる画像情報を選択することが容易でない、という問題点が生じる。
【００１１】
すなわち、前述したように、半導体記憶素子の記憶容量が８ＧＢ程度ともなると、高解像度で撮影した場合でも数千枚程度の画像情報を記憶することができるため、これらの中から所望の画像情報を検出することは容易ではない。
【００１２】
これに対し、前述のプリント指定された画像ファイルのファイル属性を読み出し専用に変更する技術では、プリント指定された画像ファイルの削除を防止することはできるものの、撮影によって得られた多数の画像情報（画像ファイル）の中から所望のものを選択する点については考慮されておらず、この問題点を回避することはできない。
【００１３】
なお、この問題点は、画像情報についてのみならず、近年の多くのデジタルカメラで採用されている音声記録機能（所謂ボイスメモ機能）によって取得された音声情報についても生じ得る問題点である。
【００１４】
本発明は上記問題点を解消するためになされたものであり、内蔵された記憶手段に記憶されたデジタル情報から所望のものを着脱可能に設けられた記憶メディアに容易に記憶させることのできる撮影装置を提供することを目的とする。
【課題を解決するための手段】
【００１５】
上記目的を達成するために、請求項１記載の撮影装置は、撮影により被写体を示す画像情報をデジタル情報として取得する撮影装置であって、前記撮影装置に内蔵されると共に前記画像情報及び録音によりデジタル情報として取得される音声情報の少なくとも一方のデジタル情報を当該デジタル情報に関する付帯情報に対応付けて記憶する記憶手段と、前記撮影装置に着脱可能に構成された記憶メディアと、前記記憶メディアが装着されているとき、前記記憶手段に記憶されている前記デジタル情報から所定条件に合致する付帯情報に対応付けられたデジタル情報を検出して前記記憶メディアに記憶するように制御する制御手段と、を備えている。
【００１６】
請求項１に記載の撮影装置によれば、撮影装置に内蔵された記憶手段によって、撮影によりデジタル情報として取得された被写体像を示す画像情報、及び録音によりデジタル情報として取得される音声情報の少なくとも一方のデジタル情報が、当該デジタル情報に関する付帯情報に対応付けられた状態で記憶される。
【００１７】
例えば、ＤＰＯＦ規格では、前述したようにプリントしたい画像コマや枚数等の付帯情報が記憶されるようになっている。また、例えば、Ｅｘｉｆ（Exchangeable Image File Format）と呼ばれる画像ファイル・フォーマットでは、被写体像を示す画像データと共に、撮影日等の付帯情報を記憶することができる。また、例えば、ＭＰ３（MPEG Audio Layer-III）と呼ばれる音声圧縮技術を用いて作成される音声ファイルのファイル・フォーマットでは、音声を示す音声データと共に、任意の文字情報等の付帯情報を付加情報として記憶することができる。本発明の付帯情報は、以上のようなデジタル情報に関する情報を指すものである。なお、上記記憶手段には、フラッシュ・メモリやＥＥＰＲＯＭ等の不揮発性の半導体記憶素子が含まれる。
【００１８】
ここで、本発明では、撮影装置に着脱可能に構成された記憶メディアが装着されているとき、上記記憶手段に記憶されているデジタル情報から所定条件に合致する付帯情報に対応付けられたデジタル情報が検出されて当該記憶メディアに記憶されるように制御手段によって制御される。なお、上記記憶メディアには、スマート・メディア、ｘＤピクチャーカード、ＳＤカード、コンパクト・フラッシュ、ＡＴＡカード、マイクロドライブが含まれる。
【００１９】
このように、請求項１に記載の撮影装置によれば、内蔵された記憶手段に付帯情報に対応付けて記憶されているデジタル情報から、所定条件に合致する付帯情報に対応付けられたものを検出して記憶メディアに記憶するようにしているので、上記所定条件として所望のデジタル情報に対応付けられた付帯情報に合致される条件を適用することにより、内蔵された記憶手段に記憶されたデジタル情報から所望のものを着脱可能に設けられた記憶メディアに容易に記憶させることができる。
【００２０】
なお、本発明は、請求項２記載の発明のように、前記所定条件を入力するための入力手段を更に備え、前記制御手段は、前記入力手段により入力された前記所定条件に合致する付帯情報に対応付けられたデジタル情報を検出するものとしてもよい。これにより、記憶メディアに記憶させるデジタル情報の条件を任意に変更することができ、利便性を向上させることができる。なお、上記入力手段には、各種スイッチ類が含まれる。
【００２１】
また、本発明は、請求項３記載の発明のように、前記所定条件を前記記憶メディアに予め記憶しておくと共に、前記制御手段は、前記記憶メディアに記憶されている前記所定条件を読み出し、当該所定条件に合致する付帯情報に対応付けられたデジタル情報を検出するものとしてもよい。これにより、上記所定条件を制御の度に入力する場合に比較して、より簡易に所望のデジタル情報を記憶メディアに記憶させることができる。また、上記所定条件を入力するための入力手段を設ける必要がないので、入力手段を設ける場合に比較して低コスト化及び省スペース化することができる。
【００２２】
更に、本発明は、請求項４記載の発明のように、前記記憶手段に記憶するデジタル情報を前記画像情報とし、前記付帯情報を、対応付けられる画像情報をプリント注文の対象とするか否かを示す情報とし、前記所定条件を、プリント注文の対象とする画像情報であることとしてもよい。これによって、プリント注文する画像情報のみを記憶メディアに記憶させることができるので、プリント注文する際の利便性を向上させることができる。
【００２３】
また、本発明は、請求項５記載の発明のように、前記記憶手段に記憶するデジタル情報を前記画像情報とし、前記付帯情報を、対応付けられる画像情報を取得する際の撮影条件を示す情報とし、前記所定条件を、前記記憶メディアに記憶させたい画像情報に対応付けた前記撮影条件としてもよい。これによって、所望の撮影条件による撮影によって得られた画像情報のみを記憶メディアに記憶させることができるので、記憶メディアに記憶させたい画像情報の撮影条件が予め判明している場合に特に効果的である。なお、本発明の撮影条件には、マニュアル撮影、オート撮影、プログラム撮影、マクロ撮影、移動体撮影、夜景撮影、人物撮影、撮影日時、撮影場所が含まれる。
【００２４】
また、本発明は、請求項６記載の発明のように、前記付帯情報を、対応付けられるデジタル情報の優先順位を示す情報とし、前記所定条件を、前記記憶メディアに記憶させたいデジタル情報に対応付けた前記優先順位としてもよい。これによって、所望の優先順位とされたデジタル情報のみを記憶メディアに記憶させることができるので、記憶メディアに記憶させたいデジタル情報の優先順位が予め判明している場合に特に効果的である。なお、上記優先順位には、デジタル情報の重要度に応じた順位や、当該デジタル情報が画像情報である場合におけるプリント注文と対象とする可能性の高さに応じた順位が含まれる。
【００２５】
更に、本発明は、請求項７記載の発明のように、前記付帯情報を、対応付けられるデジタル情報の予め定められた識別コードを示す情報とし、前記所定条件を、前記記憶メディアに記憶させたいデジタル情報に対応付けた前記識別コードとしてもよい。これによって、所望の識別コードに対応するデジタル情報のみを記憶メディアに記憶させることができるので、記憶メディアに記憶させたいデジタル情報の識別コードが予め判明している場合に特に効果的である。
【発明の効果】
【００２６】
本発明に係る撮影装置によれば、内蔵された記憶手段に付帯情報に対応付けて記憶されているデジタル情報から、所定条件に合致する付帯情報に対応付けられたものを検出して記憶メディアに記憶するようにしているので、上記所定条件として所望のデジタル情報に対応付けられた付帯情報に合致される条件を適用することにより、内蔵された記憶手段に記憶されたデジタル情報から所望のものを着脱可能に設けられた記憶メディアに容易に記憶させることができる、という効果が得られる。
【発明を実施するための最良の形態】
【００２７】
以下、図面を参照して、本発明を実施するための最良の形態について詳細に説明する。なお、ここでは、本発明の撮影装置を、静止画の撮影を行うデジタルスチルカメラ（以下、単に「デジタルカメラ」という。）に適用した場合について説明する。
【００２８】
〔第１実施形態〕
まず、図１を参照して、本実施の形態に係るデジタルカメラ１０の外観上の構成を説明する。
【００２９】
同図に示すように、デジタルカメラ１０の正面には、被写体像を結像させるためのレンズ１２と、撮影する被写体の構図を決定するために用いられるファインダ７０と、が備えられている。また、デジタルカメラ１０の上面には、撮影を実行する際に撮影者によって押圧操作されるレリーズボタン（所謂シャッター）５６Ａと、電源スイッチ５６Ｂと、が備えられている。
【００３０】
なお、本実施の形態に係るレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３１】
そして、本実施の形態に係るデジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３２】
一方、デジタルカメラ１０の背面には、前述のファインダ７０の接眼部と、撮影によって得られたデジタル画像データにより示される被写体像や各種メニュー画面、メッセージ等を表示するための液晶ディスプレイ（以下、「ＬＣＤ」という。）３０と、撮影を行うモードである撮影モード及び撮影によって得られたデジタル画像データにより示される被写体像をＬＣＤ３０に表示（再生）するモードである再生モードの何れかのモードに設定するためにスライド操作されるモード切替スイッチ５６Ｃと、ＬＣＤ３０の表示領域における上・下・左・右の４方向の移動方向を示す４つの矢印キー及び当該４つの矢印キーの中央部に位置された決定キーの合計５つのキーを含んで構成された十字カーソルボタン５６Ｄと、が備えられている。
【００３３】
また、デジタルカメラ１０の背面には、ＬＣＤ３０にメインメニュー画面を表示する際に押圧操作されるメニューキー５６Ｅと、メニュー画面で指定された処理を実行する際に押圧操作される実行キー５６Ｆと、各種操作を中止（キャンセル）する際に押圧操作されるキャンセルキー５６Ｇと、が備えられている。
【００３４】
次に、図２を参照して、本実施の形態に係るデジタルカメラ１０の電気系の構成を説明する。
【００３５】
同図に示すように、デジタルカメラ１０は、前述のレンズ１２を含んで構成された光学ユニット１３と、レンズ１２の光軸後方に配設されたＣＣＤ（Charge Coupled Device）１４と、相関二重サンプリング回路（以下、「ＣＤＳ」という。）１６と、入力されたアナログ信号をデジタルデータに変換するアナログ／デジタル変換器（以下、「ＡＤＣ」という。）１８と、を含んで構成されており、ＣＣＤ１４の出力端子はＣＤＳ１６の入力端子に、ＣＤＳ１６の出力端子はＡＤＣ１８の入力端子に、各々接続されている。
【００３６】
ここで、ＣＤＳ１６による相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００３７】
一方、デジタルカメラ１０は、所定容量のラインバッファを内蔵すると共に入力されたデジタル画像データを後述する第２メモリ４０の所定領域に直接記憶させる制御を行う画像入力コントローラ２０と、デジタル画像データに対して各種画像処理を施す画像信号処理回路２２と、所定の圧縮形式でデジタル画像データに圧縮処理を施す一方、圧縮処理されたデジタル画像データに伸張処理を施す圧縮・伸張処理回路２４と、デジタル画像データにより示される画像やメニュー画面等をＬＣＤ３０に表示させるための信号を生成してＬＣＤ３０に供給する一方、ＬＣＤ３０に表示させる画像を示す映像信号（本実施の形態では、ＮＴＳＣ信号。）を生成してビデオ出力端子ＯＵＴに出力するビデオ／ＬＣＤエンコーダ２８と、を含んで構成されている。なお、画像入力コントローラ２０の入力端子はＡＤＣ１８の出力端子に接続されている。
【００３８】
また、デジタルカメラ１０は、デジタルカメラ１０全体の動作を司るＣＰＵ（中央処理装置）３２と、ＡＦ機能を働かせるために必要とされる物理量（本実施の形態では、ＣＣＤ１４による撮像によって得られた画像のコントラスト値。）を検出するＡＦ検出回路３４と、ＡＥ機能及びＡＷＢ（Automatic White Balance）機能を働かせるために必要とされる物理量（本実施の形態では、ＣＣＤ１４による撮像によって得られた画像の明るさを示す量。）を検出するＡＥ・ＡＷＢ検出回路３６と、ＣＰＵ３２による各種処理の実行時のワークエリア等として用いられるＳＤＲＡＭ（Synchronous Dynamic Random Access Memory）により構成された第１メモリ３８と、主として撮影により得られたデジタル画像データを記憶するＶＲＡＭ（Video RAM）により構成された第２メモリ４０と、を含んで構成されている。
【００３９】
更に、デジタルカメラ１０は、スマートメディア（Smart Media(R)）により構成された記録メディア４２Ａをデジタルカメラ１０でアクセス可能とするためのメディアコントローラ４２と、ＧＰＳ（Global Positioning System）衛星からの電波を受信する不図示のアンテナが内蔵されると共に当該アンテナによって受信した信号を処理して位置情報（本実施の形態では、経度及び緯度の２次元の情報）を取得するＧＰＳ制御回路４４と、不揮発性の半導体記憶素子（本実施の形態では、フラッシュ・メモリ）により構成された第３メモリ４６と、を含んで構成されている。
【００４０】
以上の画像入力コントローラ２０、画像信号処理回路２２、圧縮・伸張処理回路２４、ビデオ／ＬＣＤエンコーダ２８、ＣＰＵ３２、ＡＦ検出回路３４、ＡＥ・ＡＷＢ検出回路３６、第１メモリ３８、第２メモリ４０、メディアコントローラ４２、ＧＰＳ制御回路４４、及び第３メモリ４６は、各々バスＢＵＳを介して相互に接続されている。
【００４１】
従って、ＣＰＵ３２は、画像入力コントローラ２０、画像信号処理回路２２、圧縮・伸張処理回路２４、及びビデオ／ＬＣＤエンコーダ２８の各々の作動の制御と、ＡＦ検出回路３４及びＡＥ・ＡＷＢ検出回路３６により検出された物理量の取得と、ＧＰＳ制御回路４４により取得された位置情報の取得と、第１メモリ３８、第２メモリ４０、記録メディア４２Ａ、及び第３メモリ４６へのアクセスと、を各々行うことができる。
【００４２】
なお、本実施の形態に係るデジタルカメラ１０では、第３メモリ４６が比較的大容量（ここでは、８ＧＢ）のものとされており、撮影時には第３メモリ４６にデジタル画像データを画像ファイルとして記憶しておくものとして構成されている。そして、前述したデジタルカメラ・プリント・サービスを利用したり、記録メディア４２Ａを介してパーソナル・コンピュータやＰＤＡ（Personal Digital Assistant、携帯情報端末）等の情報処理装置に画像ファイルを転送する等のために上記画像ファイルを記録メディア４２Ａに記憶させたいときには、第３メモリ４６に記憶されている画像ファイルから所望のもののみを選択的に記録メディア４２Ａに記憶するものとされている。
【００４３】
この構成により、デジタルカメラ・プリント・サービスを利用する等のためにデジタルカメラ１０から記録メディア４２Ａを取り外した状態でも、デジタルカメラ１０には画像ファイルを保持しておくことができるため、これらの画像ファイルを表示させて参照したり、加工する等の他の用途に利用することができ、利便性が極めて高い。
【００４４】
一方、デジタルカメラ１０には、主としてＣＣＤ１４を駆動させるためのタイミング信号を生成してＣＣＤ１４に供給するタイミングジェネレータ４８が設けられており、当該タイミングジェネレータ４８の入力端子はＣＰＵ３２に、出力端子はＣＣＤ１４に各々接続されており、ＣＣＤ１４の駆動は、ＣＰＵ３２によりタイミングジェネレータ４８を介して制御される。
【００４５】
更に、ＣＰＵ３２はモータ駆動部５０の入力端子に接続され、モータ駆動部５０の出力端子は光学ユニット１３に備えられた焦点調整モータ、ズームモータ及び絞り駆動モータに接続されている。
【００４６】
本実施の形態に係る光学ユニット１３に含まれるレンズ１２は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々ＣＰＵ３２の制御下でモータ駆動部５０から供給された駆動信号によって駆動される。
【００４７】
ＣＰＵ３２は、光学ズーム倍率を変更する際にはズームモータを駆動制御して光学ユニット１３に含まれるレンズの焦点距離を変化させる。
【００４８】
また、ＣＰＵ３２は、ＣＣＤ１４による撮像によって得られた画像のコントラスト値が最大となるように上記焦点調整モータを駆動制御することによって合焦制御を行う。すなわち、本実施の形態に係るデジタルカメラ１０では、合焦制御として、読み取られた画像のコントラストが最大となるようにレンズの位置を設定する、所謂ＴＴＬ（Through The Lens）方式を採用している。
【００４９】
更に、前述のレリーズボタン５６Ａ、電源スイッチ５６Ｂ、モード切替スイッチ５６Ｃ、十字カーソルボタン５６Ｄ、メニューキー５６Ｅ、実行キー５６Ｆ、キャンセルキー５６Ｇの各々はＣＰＵ３２に接続されており、ＣＰＵ３２は、これらに対する操作状態を常時把握できる。
【００５０】
なお、本実施の形態に係るデジタルカメラ１０はＥｘｉｆフォーマットに対応しており、メニューキー５６Ｅの押圧操作に応じてＬＣＤ３０に表示されるメインメニュー画面上でＥｘｉｆフォーマットの画像ファイルに含まれるタグ領域に記憶したい情報を予め設定しておくことにより、それ以降の撮影によって得られた画像ファイルのタグに当該情報を記憶することができる。
【００５１】
すなわち、図３に示すように、本実施の形態に係るデジタルカメラ１０において、撮影により得られて第３メモリ４６に記憶される画像ファイル６０はＥｘｉｆフォーマットに対応しているため、スタートコード領域６０Ａ、タグ領域６０Ｂ、サムネイル画像領域６０Ｃ、及び主画像領域６０Ｄが含まれている。ここで、タグ領域６０Ｂには、メインメニュー画面上で予め設定された各種情報が記憶されることになる。
【００５２】
なお、当該情報として、本実施の形態では、当該画像ファイルを得るための撮影を行ったときに設定されていた撮影条件を示す情報（本実施の形態では、マニュアル撮影、オート撮影、プログラム撮影、マクロ撮影、移動体撮影、夜景撮影、人物撮影、撮影日時、撮影場所（本実施の形態では、ＧＰＳ制御回路４４によって得られる緯度及び経度）の何れかの情報）と、画像ファイルの優先順位を示す情報と、画像ファイルの識別コードと、のうちの少なくとも１つが選択できるものとして構成されている。
【００５３】
ここで、上記優先順位は、画像ファイルの重要度や、プリント注文の対象とする可能性の高さ等に応じてユーザにより設定される順位である。なお、本実施の形態では、当該優先順位として、順位の高い順に、１、２、３、の３段階の順位が設定可能とされている。
【００５４】
また、上記識別コードは、画像ファイルの予め定められた種別毎に予め割り当てられたコードである。なお、本実施の形態では、上記種別として、後述するＤＰＯＦ規格によりプリント注文が設定された画像ファイル（識別コード：０００１）と、人物撮影が設定された状態での撮影によって得られた画像ファイル（識別コード：０００２）と、マクロ撮影が設定された状態での撮影によって得られた画像ファイル（識別コード：０００３）と、夜景撮影が設定された状態での撮影によって得られた画像ファイル（識別コード：０００４）と、他のモードが設定された状態での撮影によって得られた画像ファイル（識別コード：０００５）と、の５種類が定められている。
【００５５】
一方、本実施の形態に係るデジタルカメラ１０はＤＰＯＦ規格にも対応しており、メニューキー５６Ｅの押圧操作に応じてＬＣＤ３０に表示されるメインメニュー画面上でプリント注文する画像コマ（画像ファイル）やプリント枚数等の情報を入力することにより、これらの情報をファイル（以下、「ＤＰＯＦファイル」という。）として第３メモリ４６に記憶することができる。
【００５６】
次に、本実施の形態に係るデジタルカメラ１０の作用を説明する。まず、撮影モードが設定されている場合の全体的な処理の流れについて簡単に説明する。
【００５７】
光学ユニット１３を介した撮像によってＣＣＤ１４から出力された被写体像を示す信号は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号（デジタル画像データ）に変換して画像入力コントローラ２０に出力する。
【００５８】
画像入力コントローラ２０は内蔵しているラインバッファにＡＤＣ１８から順次入力されるデジタル画像データを蓄積して一旦第２メモリ４０の所定領域に格納する。
【００５９】
第２メモリ４０の所定領域に格納されたデジタル画像データは、ＣＰＵ３２による制御下で画像信号処理回路２２によって読み出され、これらにＡＥ・ＡＷＢ検出回路３６により検出された物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号を第２メモリ４０の上記所定領域とは異なる領域に格納する。
【００６０】
なお、ＬＣＤ３０は、ＣＣＤ１４による連続的な撮像によって得られた動画像（スルー画像）を表示してファインダとして使用することができるものとして構成されているが、このようにＬＣＤ３０をファインダとして使用する場合には、生成したＹＣ信号を、ビデオ／ＬＣＤエンコーダ２８を介して順次ＬＣＤ３０に出力する。これによってＬＣＤ３０にスルー画像が表示されることになる。
【００６１】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点で第２メモリ４０に格納されているＹＣ信号を、圧縮・伸張処理回路２４によって所定の圧縮形式（本実施の形態では、ＪＰＥＧ形式）で圧縮した後に第３メモリ４６にＥｘｉｆフォーマットの画像ファイルとして記憶する。この際、当該画像ファイルには、予めメインメニュー画面上で選択された撮影条件を示す情報、優先順位を示す情報、及び識別コードを示す情報の少なくとも１つがタグ領域に記憶されることになる。
【００６２】
また、ユーザは、それまでの撮影によって第３メモリ４６に記憶された画像ファイルを対象としてＤＰＯＦ規格に応じたＤＰＯＦファイルを作成する際には、メニューキー５６Ｅの押圧操作に応じてＬＣＤ３０に表示されるメインメニュー画面上でプリント注文する画像コマやプリント枚数等の情報を入力する。これによって、これらの情報が含まれたＤＰＯＦファイルが第３メモリ４６に記憶される。
【００６３】
次に、図４を参照して、再生モードが設定されている場合にデジタルカメラ１０で実行される再生モード処理について説明する。なお、図４は、このときデジタルカメラ１０のＣＰＵ３２で実行される再生モード処理プログラムの処理の流れを示すフローチャートである。
【００６４】
まず、ステップ１００では、第３メモリ４６に記憶されている画像ファイルを記録メディア４２Ａにコピーするか否かを判定し、否定判定となった場合はステップ１０２に移行して通常の再生モード時の処理を実行した後に本再生モード処理プログラムを終了し、肯定判定となった場合にはステップ１０４に移行する。なお、上記ステップ１００における画像ファイルを記録メディア４２Ａにコピーするか否かの判定は、本実施の形態では、記録メディア４２Ａがデジタルカメラ１０に装着されているか否かを判定することにより行っているが、これに限らず、ユーザからの指示入力に応じて判定する形態とすることもできる。
【００６５】
ステップ１０４では、予め定められたメニュー画面をＬＣＤ３０に表示し、次のステップ１０６で所定情報の入力待ちを行う。
【００６６】
図５（Ａ）には、このとき、ＬＣＤ３０に表示されるメニュー画面が示されている。同図に示すように、このメニュー画面では、記録メディア４２Ａへのコピー条件（本発明の「所定条件」に相当。）の選択を促すメッセージが表示されると共に、選択可能なコピー条件として、「ＤＰＯＦ対象画像ファイル」、「撮影条件」、「優先順位」、「識別コード」が表示されている。当該メニュー画面がＬＣＤ３０に表示されると、ユーザは、十字カーソルボタン５６Ｄの操作により所望のコピー条件を選択する。なお、図５では、「ＤＰＯＦ対象画像ファイル」が選択された状態が示されている。
【００６７】
ここで、ユーザにより「撮影条件」が選択された場合には図５（Ｂ）に示される撮影条件選択画面を、「優先順位」が選択された場合には図５（Ｃ）に示される優先順位選択画面を、「識別コード」が選択された場合には図５（Ｄ）に示される識別コード選択画面を、各々ＬＣＤ３０に表示する。これに応じて、ユーザは、記録メディア４２Ａに記憶すべき画像ファイルを示すものを、選択したコピー条件に応じた画面上で選択する。なお、本実施の形態では、ユーザは、複数のコピー条件を選択することができる。
【００６８】
以上のようなコピー条件の選択がユーザによって行われると、次のステップ１０８では、ユーザによって選択されたコピー条件に「ＤＰＯＦ対象画像ファイル」が含まれるか否かを判定し、肯定判定となった場合はステップ１１０に移行して、第３メモリ４６に記憶されているＤＰＯＦファイル及び当該ＤＰＯＦファイルでプリント注文する画像コマとして設定されている画像ファイルを読み出して記録メディア４２Ａに記憶し、その後にステップ１１２に移行する。一方、上記ステップ１０８において否定判定となった場合には、上記ステップ１１０の処理を実行することなくステップ１１２に移行する。
【００６９】
ステップ１１２では、ユーザによって選択されたコピー条件に「撮影条件」が含まれるか否かを判定し、肯定判定となった場合はステップ１１４に移行して、ユーザにより撮影条件選択画面（図５（Ｂ）も参照。）において選択された撮影条件に合致する撮影条件がタグ領域６０Ｂに記憶されている画像ファイルを第３メモリ４６に記憶されている画像ファイルから検索して記録メディア４２Ａに記憶し、その後にステップ１１６に移行する。一方、上記ステップ１１２において否定判定となった場合には、上記ステップ１１４の処理を実行することなくステップ１１６に移行する。
【００７０】
ステップ１１６では、ユーザによって選択されたコピー条件に「優先順位」が含まれるか否かを判定し、肯定判定となった場合はステップ１１８に移行して、ユーザにより優先順位選択画面（図５（Ｃ）も参照。）において選択された優先順位に合致する優先順位がタグ領域６０Ｂに記憶されている画像ファイルを第３メモリ４６に記憶されている画像ファイルから検索して記録メディア４２Ａに記憶し、その後にステップ１２０に移行する。一方、上記ステップ１１６において否定判定となった場合には、上記ステップ１１８の処理を実行することなくステップ１２０に移行する。
【００７１】
ステップ１２０では、ユーザによって選択されたコピー条件に「識別コード」が含まれるか否かを判定し、肯定判定となった場合はステップ１２２に移行して、ユーザにより識別コード選択画面（図５（Ｄ）も参照。）において選択された識別コードに合致する識別コードがタグ領域６０Ｂに記憶されている画像ファイルを第３メモリ４６に記憶されている画像ファイルから検索して記録メディア４２Ａに記憶し、その後に本再生モード処理プログラムを終了する。一方、上記ステップ１２０において否定判定となった場合には、上記ステップ１２２の処理を実行することなく本再生モード処理プログラムを終了する。
【００７２】
以上詳細に説明したように、本実施の形態では、内蔵された第３メモリ４６に付帯情報（タグ領域６０Ｂに記憶された情報及びＤＰＯＦファイルに記憶された情報）に対応付けて記憶されている画像情報から、所定条件に合致する付帯情報に対応付けられたものを検出して記録メディア４２Ａに記憶するようにしているので、上記所定条件として所望の画像情報に対応付けられた付帯情報に合致される条件を適用することにより、内蔵された第３メモリ４６に記憶された画像情報から所望のものを着脱可能に設けられた記録メディア４２Ａに容易に記憶させることができる。
【００７３】
また、本実施の形態では、十字カーソルボタン５６Ｄにより入力（選択）された上記所定条件に合致する付帯情報に対応付けられた画像情報を検出するものとしているので、記録メディア４２Ａに記憶させる画像情報の条件を任意に変更することができ、利便性を向上させることができる。
【００７４】
また、本実施の形態では、上記付帯情報として、対応付けられる画像情報をプリント注文の対象とするか否かを示す情報を適用しているので、上記所定条件として、プリント注文の対象とする画像情報であることを指定することにより、プリント注文する画像情報のみを記録メディア４２Ａに記憶させることができ、プリント注文する際の利便性を向上させることができる。
【００７５】
また、本実施の形態では、上記付帯情報として、対応付けられる画像情報を取得する際の撮影条件を示す情報を適用しているので、上記所定条件として、記録メディア４２Ａに記憶させたい画像情報に対応付けた撮影条件を指定することにより、所望の撮影条件による撮影によって得られた画像情報のみを記録メディア４２Ａに記憶させることができ、記録メディア４２Ａに記憶させたい画像情報の撮影条件が予め判明している場合に特に効果的である。
【００７６】
また、本実施の形態では、上記付帯情報として、対応付けられる画像情報の優先順位を示す情報を適用しているので、上記所定条件として、記録メディア４２Ａに記憶させたい画像情報に対応付けた優先順位を指定することにより、所望の優先順位とされた画像情報のみを記録メディア４２Ａに記憶させることができ、記録メディア４２Ａに記憶させたい画像情報の優先順位が予め判明している場合に特に効果的である。
【００７７】
更に、本実施の形態では、上記付帯情報として、対応付けられる画像情報の予め定められた識別コードを適用しているので、上記所定条件として、記録メディア４２Ａに記憶させたい画像情報に対応付けた識別コードを指定することにより、所望の識別コードに対応する画像情報のみを記録メディア４２Ａに記憶させることができ、記録メディア４２Ａに記憶させたい画像情報の識別コードが予め判明している場合に特に効果的である。
【００７８】
〔第２実施形態〕
上記第１実施形態では、ユーザに対してコピー条件（本発明の「所定条件」に相当。）を十字カーソルボタン５６Ｄの操作によって入力させる場合の形態について説明したが、本第２実施形態では、コピー条件を記録メディア４２Ａに予め記憶しておく場合の形態について説明する。なお、本第２実施形態に係るデジタルカメラ１０の構成は、上記第１実施形態に係るデジタルカメラ１０（図１、図２参照）と同様であるので、ここでの説明は省略する。また、本第２実施形態に係るデジタルカメラ１０の再生モード処理実行時以外の作用も上記第１実施形態と同様であるので、ここでの説明は省略する。
【００７９】
以下、図６を参照して、再生モードが設定されている場合に本第２実施形態に係るデジタルカメラ１０で実行される再生モード処理について説明する。なお、図６は、このときデジタルカメラ１０のＣＰＵ３２で実行される再生モード処理プログラムの処理の流れを示すフローチャートである。なお、ここでは、図７に示すように、記録メディア４２Ａに記憶させたい画像ファイルを示す識別コード（第１実施形態と同様の識別コードであり、０００１、０００２、・・・、０００５の少なくとも１つの識別コード）が、当該記録メディア４２Ａの識別コード領域４３Ｂに予め記憶されている場合について説明する。
【００８０】
まず、ステップ２００では、第３メモリ４６に記憶されている画像ファイルを記録メディア４２Ａにコピーするか否かを判定し、否定判定となった場合はステップ２０２に移行して通常の再生モード時の処理を実行した後に本再生モード処理プログラムを終了し、肯定判定となった場合にはステップ２０４に移行する。なお、上記ステップ２００における画像ファイルを記録メディア４２Ａにコピーするか否かの判定は、本実施の形態では、ユーザからの指示入力に応じて判定するものとされている。
【００８１】
ステップ２０４では、記録メディア４２Ａのデジタルカメラ１０への装着待ちを行い、次のステップ２０６では、装着された記録メディア４２Ａの識別コード領域４３Ｂに記憶されている識別コードを読み出す。
【００８２】
次のステップ２０８では、読み出した識別コードが予め定められた範囲内（本実施の形態では、‘０００１’から‘０００５’までの範囲内）のものであるか否かを判定することにより、第３メモリ４６から記録メディア４２Ａへの画像ファイルのコピーを実行するか否かを判定し、肯定判定となった場合はステップ２１０に移行して、読み出した識別コードに合致する識別コードがタグ領域６０Ｂに記憶されている画像ファイルを第３メモリ４６に記憶されている画像ファイルから検索して記録メディア４２Ａに記憶し、その後に本再生モード処理プログラムを終了する。一方、上記ステップ２０８において否定判定となった場合には、上記ステップ２１０の処理を実行することなく本再生モード処理プログラムを終了する。
【００８３】
以上詳細に説明したように、本第２実施形態では、上記第１実施形態と同様の効果を奏することができると共に、識別コード（本発明の「所定条件」に相当。）を記録メディア４２Ａに予め記憶しておくと共に、当該識別コードを読み出し、当該識別コードに合致する付帯情報（タグ領域６０Ｂに記憶されている情報）に対応付けられた画像情報を検出するものとしているので、識別コードを制御の度に入力する場合に比較して、より簡易に所望の画像ファイルを記録メディア４２Ａに記憶させることができる。また、識別コードを入力するための十字カーソルボタン５６Ｄ等の入力手段を設ける必要がないので、入力手段を設ける場合に比較して低コスト化及び省スペース化することができる。
【００８４】
なお、本第２実施形態では、本発明の所定条件として識別コードを適用した場合について説明したが、本発明はこれに限定されるものではなく、例えば、上記第１実施形態でコピー条件として適用した他の条件（ＤＰＯＦ対象画像ファイルか否か、撮影条件、優先順位の少なくとも１つ）を適用する形態とすることもできる。この場合も、本実施の形態と同様の効果を奏することができる。
【００８５】
また、上記各実施の形態では、第３メモリ４６に記憶されている画像ファイルを記録メディア４２Ａにコピーする場合について説明したが、本発明はこれに限定されるものではなく、第３メモリ４６から記録メディア４２Ａに移動させる形態とすることもできる。この場合は、移動された画像ファイルは第３メモリ４６から消去されるため、第３メモリ４６の残記憶容量を増加させることができる。
【００８６】
また、上記各実施の形態では、ＧＰＳを利用して位置情報を取得する場合について説明したが、本発明はこれに限定されるものではなく、例えば、ＰＨＳ（Personal Handy-phone System）を利用して自己の位置を示す位置情報を取得する形態とすることもできる。この場合は、ＧＰＳを利用する場合に比較して位置情報の精度は低下するが、低コストでデジタルカメラ１０を構成することができる。
【００８７】
また、上記各実施の形態では、静止画像の撮影を行うデジタルカメラ１０に本発明を適用した場合について説明したが、本発明はこれに限定されるものではなく、動画像の撮影を行うデジタルカメラに対して本発明を適用することもできる。この場合は、上記各実施の形態における画像ファイル６０に代えて、動画像の撮影により得られた画像ファイルが処理の対象となる。この場合も、上記各実施の形態と同様の効果を奏することができる。
【００８８】
また、本発明は、カメラ付き携帯電話機やカメラ付きＰＤＡ（Personal Digital Assistant、携帯情報端末）等の撮影機能を有するあらゆる機器に適用することができる。この場合にも、上記各実施の形態と同様の効果を奏することができる。
【００８９】
また、上記各実施の形態では、本発明のデジタル情報として画像ファイルを適用した場合について説明したが、本発明はこれに限定されるものではなく、音声ファイルを適用する形態や、画像ファイル及び音声ファイルの双方のファイルを適用する形態とすることもできる。
【００９０】
この場合の形態としては、デジタルカメラ１０に対して、音声をデジタル情報としてＷＡＶファイルやＭＰ３等の所定のフォーマットで第３メモリ４６に記録することができるボイスメモ機能を搭載し、当該機能によって第３メモリ４６に記録された音声ファイルを記録メディア４２Ａに記憶すべき検出対象とする形態や、当該音声ファイル及び上記画像ファイルの双方を検出対象とする形態を例示することができる。なお、この場合には、音声ファイルの付帯情報（ファイル・フォーマットがＭＰ３の場合は付加情報）として、上記各実施の形態で示した付帯情報と同様の情報を記憶するようにする。
【００９１】
この場合も、上記各実施の形態と同様の効果を奏することができる。
【００９２】
また、上記各実施の形態において示したデジタルカメラ１０の構成（図１、図２参照。）は一例であり、本発明の主旨を逸脱しない範囲内において適宜変更可能であることは言うまでもない。
【００９３】
更に、上記各実施の形態において説明した再生モード処理プログラムの処理の流れ（図４、図６参照。）も一例であり、本発明の主旨を逸脱しない範囲内において適宜変更可能であることは言うまでもない。
【図面の簡単な説明】
【００９４】
【図１】実施の形態に係るデジタルカメラの外観を示す外観図である。
【図２】実施の形態に係るデジタルカメラの電気系の構成を示すブロック図である。
【図３】実施の形態に係る画像ファイルの構成を示す模式図である。
【図４】第１実施形態に係る再生モード処理プログラムの処理の流れを示すフローチャートである。
【図５】実施の形態に係るメニュー画面、撮影条件選択画面、優先順位選択画面、識別コード選択画面の表示例を示す概略図である。
【図６】第２実施形態に係る再生モード処理プログラムの処理の流れを示すフローチャートである。
【図７】第２実施形態に係る記録メディアの記録領域の構成を示す模式図である。
【符号の説明】
【００９５】
１０    デジタルカメラ
３２    ＣＰＵ（制御手段）
４２Ａ    記録メディア（記憶メディア）
４６    第３メモリ（記憶手段）
５６Ｄ    十字カーソルボタン（入力手段）
【図１】
2005079667.tif 000003
【図２】
2005079667.tif 000004
【図３】
2005079667.tif 000005
【図４】
2005079667.tif 000006
【図５】
2005079667.tif 000007
【図６】
2005079667.tif 000008
【図７】
2005079667.tif 000009